(57)【要約】【課題】  本発明は、構造がシンプルで強度の止水板への押圧力が得られる、止水板の提供を課題とする、【解決手段】止水板（１）を貫通させた止水板押圧具（３）、および枠（８）に掛けた支持受けフック部分（４）で、止水板を下方床面に押さえつけながら締め込み、枠及び床面に押圧固定する。【選択図】  図１
2005068964.tif 000002
【特許請求の範囲】
【請求項１】
ボルト形態（雄螺子形態）をもつ押圧部位（３）とナット形態（雌ネジ形態）をもつ支持受けフック部位（４）とで構成される止水板押圧具を、止水板にもうけられた貫通穴（２）に貫通させて止水板（１）を押圧することを特徴とする貫通式押圧装置をつけた止水板。
【請求項２】
ナット形態（雌ネジ形態）をもつ押圧部位（９）とボルト形態（雄螺子形態）もつ支持受けフック部位（１０）で構成される特許請求の範囲の請求項１記載の貫通式押圧装置をつけた止水板。
【請求項３】
繋                        支持受けフック部位（４）の繋                ４１）、（４２）、（４３）をもってなる特許請求の範囲の請求項１および請求項２記載の貫通式押圧装置をつけた止水板。
【請求項４】
支持受けフック部分の繋止部分に自在接合部分（４５）を設けた特許請求の範囲の請求項１および請求項２および請求項３記載の貫通式押圧装置をつけた止水板。
【発明の詳細な説明】
【技術分野】
【０００１】  本発明は、大雨の際、ビル等の建物の出入り口や地下鉄の出入り口から、これらの建物内部に水が浸入するのを防止するために設けられる止水板に関する。
【背景技術】
【０００２】  海抜の低い地域や降雨時に冠水しやすい建物の出入り口には、雨水の浸入による水害を防止するための止水板が設けられている。【０００３】  従来の技術として、止水板を建物の出入り口に取り付ける方法としては、止水板を立設支持するためにガイド溝を両側および下方に設け、止水板を嵌め込み、止水板とガイド溝の隙間を密閉するために、止水板に押圧式のレバーを取り付け、防水板をガイド溝に押圧させ取り付ける方法（例えば
【特許文献１】実開昭６１−１６４３２６号）や、止水とガイド溝の間に伸縮自在な止水チューブをコンプレッサーで膨らませさせその隙間を密閉する方法（例えば
【特許文献２】実開平７−３８４７２）などがある。
【発明の開示】
【発明が解決しようとする課題】
【０００４】  本発明が解決しようとする問題点は、上記従来例（
【特許文献１】や
【特許文献２】）のいずれにおいても、止水板を立設支持するためにガイド溝や支柱が必要でありまたそれを設置するためのおおがかりな工事も必要とし、そしてそのガイド溝や支柱との隙間を密閉するための装置の構造が複雑となり、また押圧式のレバー方式においては、パッキン類の劣化や変性が発生した場合（パッキンが痩せてしまった時など）レバーの圧力が一定のため密閉性能が安定しなかった。本発明はそれらの問題点を解決することを目的とする。
【課題を解決するための手段】
【０００５】  本発明は止水板を貫通させてなる止水板押圧具をボルト締め付け方式で建物の出入り口枠等に、直接止水板を押圧しながら取り付けるものとしたことである。
【発明の効果】
【０００６】  本発明の止水板押圧具よる止水板の取り付け構造により、止水板を立設支持するためにガイド溝や支柱を設ける必要が無く、そのガイド溝の隙間を密閉するための複雑な構造の装置も不要となる。また気密性をもたせるために取付けられているパッキン類の劣化や変性が発生し押圧力が弱まった場合においても、ボルト部分を随時締付けることにより一定の押圧力を得ることができレバー押圧方式などにくらべても対処が容易である。また止水チューブをコンプレッサーで膨らませさせ押圧力を得る方法になどに比べ、ボルト締め付け方式であるので、構造がシンプルでより強度の押圧力が得られるとともに、止水板の各位置における微妙な押圧力の調整も可能である。
【発明を実施するための最良の形態】
【０００７】  発明の実施するための最良の形態を、実施例にもとづき図面を参照して説明する。
図１において、止水板（１）には止水板押圧具（３）が貫通するための穴（２）がもうけられている。止水板押圧具（３）は締付け部分がボルト形態（雄螺子形態）をもつ止水板押圧部位と、既存枠等を支持するためナット形態（雌ネジ形態）をもつ支持受けフック部位（４）からなる。貫通穴および、止水板には気密性を保つためのパッキン（５）、（６）、（７）がそれぞれ備えられている。
【実施例１】
【０００８】  図１、図２に示すように、止水板押圧具（３）に貫通穴用パッキン（５，６）を取り付けて、止水板の貫通穴（２）に貫通させ、止水板を（１）下方床面に押さえつけながら、枠（８）に掛けた支持受けフック部位（４）に、締め付け部分（３１）を締め込み、枠及び床面に押圧固定する。
【実施例２】
【０００９】  図４に示すものは、締付け部位（９）をナット形態（雌ネジ形態）、支持受けフック部位（１０）をボルト形態（雄螺子形態）にし、ボルト引き出すように締付け、実施例１と同様に枠及び床面に押圧固定する特許請求の範囲の請求項２の実施例である。
【実施例３】
【００１０】  図５に示す（４１）、（４２）、（４３）は、支持受けフック部位（１０）が既存の枠に支持できず、枠の側面や壁面に突起物を設けて支持受けフック部位繋止するばあいの特許請求の範囲の請求項３の実施例である
【実施例４】
【００１１】  また図６に示すように支持受けフック部分の繋止部分に自在接合部分（４５）をもうけることによって、本支持具をやや斜めに設置しながら締付けることで、止水板に下方への力も加わり、より一層床面への押圧力を得ることができまことに好都合であることを示した、特許請求の範囲の請求項４の実施例である
【実施例５】
【００１２】止水板押圧具（３）の一端の締め付け部分（３１）の形は特定の形である必要は無いが、止水板押圧具を締付けるのに充分な力を加えられる形ハンドル型やＬレバー型等がのぞましい。
【実施例６】
【００１３】支持受けフック部位（４）の繋止部分（４１）は繋止対象の形状にあわせてしっかりと支持力を得られる（４１）、（４２）、（４３）などの形状がのぞましい。
【実施例７】
【００１４】
【産業上の利用可能性】
【００１５】本発明は、大雨の際、ビル等の建物の出入り口や地下鉄の出入り口から、これらの建物内部に水が浸入するのを防止するために設けられる止水板に関する。
【図面の簡単な説明】
【００１６】
【図１】貫通式押圧装置をつけた止水板の実施例を示す斜視図である。
【図２】貫通式押圧装置をつけた止水板の実施例を示す断面図である。
【図３】貫通式押圧装置をつけた止水板の実施例を示す全体の斜視図である。
【図４】実施例２を示す部分斜視図である。
【図５】実施例３を示す部分斜視図である。
【図６】実施例４を示す側面図である。
【符号の説明】
【００１７】１    止水板
２    貫通穴
３    止水板押圧具
４    支持受けフック部分
５    パッキン
６    パッキン
７    パッキン
８    枠
９    止水板押圧具
１０  支持受けフック部分
３１  締め付け部分
４１  繋止部分
４２  繋止部分
４３  繋止部分
４５  自在接合部分
【図１】
2005068964.tif 000003
【図２】
2005068964.tif 000004
【図３】
2005068964.tif 000005
【図４】
2005068964.tif 000006
【図５】
2005068964.tif 000007
【図６】
2005068964.tif 000008